(57)【要約】      （修正有）【課題】毛髪の根元に塗布剤を塗布しやすくする。【解決手段】塗布具は、塗布剤を収容するための容器に装着して用いられ、容器に収容された塗布剤を吐出して毛髪に塗布するように構成されている。塗布具は、厚み方向に沿って列設された複数の板状櫛歯４１を備える。複数の板状櫛歯４１には、少なくとも１つの吐出口と、容器の収容空間と吐出口とを連通する内部流路４１ｅと、を有する吐出櫛歯が含まれる。吐出櫛歯は、複数の板状櫛歯が列設されている方向である列設方向から見た外形が、同一幅の本体部４１ａと、本体部４１ａから三角形状に突出した先端部４１ｂと、を有する形状である。少なくとも１つの吐出口には、先端部に少なくとも一部が位置するように設けられた先端側吐出口４１ｃが含まれる。【選択図】図３
2018143425.tif 000002
【特許請求の範囲】
【請求項１】
塗布剤を収容するための容器に装着して用いられ、前記容器に収容された塗布剤を吐出して毛髪に塗布するように構成された塗布具であって、
厚み方向に沿って列設された複数の板状櫛歯を備え、
前記複数の板状櫛歯には、少なくとも１つの吐出口と、前記容器の収容空間と前記吐出口とを連通する内部流路と、を有する吐出櫛歯が含まれ、
前記吐出櫛歯は、前記複数の板状櫛歯が列設されている方向である列設方向から見た外形が、同一幅の本体部と、前記本体部から三角形状に突出した先端部と、を有する形状であり、
前記少なくとも１つの吐出口には、前記先端部に少なくとも一部が位置するように設けられた先端側吐出口が含まれる、塗布具。
【請求項２】
請求項１に記載の塗布具であって、
前記複数の板状櫛歯には、前記列設方向において最も外側となる両側に位置し、前記列設方向から見た外形が前記吐出櫛歯と異なる端部櫛歯が含まれる、塗布具。
【請求項３】
請求項１又は請求項２に記載の塗布具であって、
前記列設方向において前記複数の板状櫛歯と交互に配置される複数の棒状櫛歯を更に備え、
前記複数の棒状櫛歯は、前記先端側吐出口と同じ高さに形成されている、塗布具。
【請求項４】
請求項１から請求項３までのいずれか１項に記載の塗布具であって、
前記少なくとも１つの吐出口には、前記先端側吐出口よりも根元側に設けられた本体側吐出口が含まれる、塗布具。
【請求項５】
請求項１から請求項４までのいずれか１項に記載の塗布具であって、
前記先端部は、前記列設方向から見て当該先端部の頂点を挟む両側に直線部を有し、前記直線部のなす角度が８０〜１１０度の範囲内である、塗布具。
【請求項６】
請求項１から請求項５までのいずれか１項に記載の塗布具であって、
前記先端部は、前記列設方向から見て当該先端部の頂点を挟む両側に突起を有する、塗布具。
【請求項７】
請求項１から請求項６までのいずれか１項に記載の前記塗布具と、
前記容器と、
を備える、塗布具付容器。
【発明の詳細な説明】
【技術分野】
【０００１】
本開示は、塗布具及び塗布具付容器に関する。
【背景技術】
【０００２】
染毛剤等の塗布剤を収容するための容器に、塗布剤を吐出して毛髪に塗布するように構成された塗布具が装着された塗布具付容器が知られている。塗布具は、厚み方向に沿って列設された複数の板状櫛歯を備える。複数の板状櫛歯のうち少なくとも一部の板状櫛歯は、吐出口と、容器の収容空間と吐出口とを連通する内部流路と、を有する。このような構成により、容器に収容された塗布剤が内部流路を介して吐出口から吐出される。吐出口から吐出された塗布剤は、板状櫛歯同士の隙間で保持され、ユーザが板状櫛歯で毛髪を梳くことにより毛髪に塗布される。例えば毛髪の生え際など、毛髪の根元に塗布剤を塗布しやすくするという観点では、例えば特許文献１に記載のように、板状櫛歯における先端寄りに吐出口を配置することが好ましい。
【先行技術文献】
【特許文献】
【０００３】
【特許文献１】特開２００５−０００３７８号公報
【発明の概要】
【発明が解決しようとする課題】
【０００４】
従来の板状櫛歯は、先端付近の横幅が狭く形成されており、吐出口を板状櫛歯の先端側により近づけることについては十分に考慮されていなかった。このため、毛髪の根元への塗布剤の塗布のしやすさに課題があった。
【０００５】
本開示の一局面は、毛髪の根元に塗布剤を塗布しやすくすることを目的としている。
【課題を解決するための手段】
【０００６】
本開示の一態様は、塗布剤を収容するための容器に装着して用いられ、容器に収容された塗布剤を吐出して毛髪に塗布するように構成された塗布具である。塗布具は、厚み方向に沿って列設された複数の板状櫛歯を備える。複数の板状櫛歯には、少なくとも１つの吐出口と、容器の収容空間と吐出口とを連通する内部流路と、を有する吐出櫛歯が含まれる。吐出櫛歯は、複数の板状櫛歯が列設されている方向である列設方向から見た外形が、同一幅の本体部と、本体部から三角形状に突出した先端部と、を有する形状である。少なくとも１つの吐出口には、先端部に少なくとも一部が位置するように設けられた先端側吐出口が含まれる。
【０００７】
このような態様によれば、毛髪の根元に塗布剤を塗布しやすくすることができる。すなわち、毛髪の根元に塗布剤を塗布しやすくするためには、塗布剤を塗布するための吐出口を、板状櫛歯の先端側にできるだけ近づけるように設計することが求められる。ただし、製造上の理由などから、板状櫛歯における吐出口の周囲にはある程度の幅を確保する必要がある。この点、上記態様では、吐出櫛歯の本体部が同一幅に形成され、先端部が本体部から三角形状に突出している。このため、吐出櫛歯の先端付近の横幅を大きく、換言すれば、吐出櫛歯の先端の角度を大きく設計することが可能となる。したがって、先端側吐出口を吐出櫛歯の先端側にできるだけ近づけた構成を実現することができる。加えて、吐出櫛歯は、先端部が三角形状に突出しているため、板状櫛歯に求められる櫛通りも得られやすくすることができる。
【０００８】
本開示の一態様は、列設方向において最も外側となる両側に位置し、列設方向から見た外形が吐出櫛歯と異なる端部櫛歯が、複数の板状櫛歯に含まれていてもよい。このような態様によれば、端部櫛歯に付加的な機能、例えば毛髪の束を取り分ける機能を持たせることが可能となる。
【０００９】
本開示の一態様は、列設方向において複数の板状櫛歯と交互に配置される複数の棒状櫛歯を更に備えてもよい。複数の棒状櫛歯は、先端側吐出口と同じ高さに形成されていてもよい。このような態様によれば、棒状櫛歯により毛髪の束が分離されるため、毛髪に塗布される塗布剤の偏りを抑制することができる。
【００１０】
本開示の一態様は、少なくとも１つの吐出口に、先端側吐出口よりも根元側に設けられた本体側吐出口が含まれていてもよい。このような態様によれば、板状櫛歯によって保持される塗布剤の量を増やすことができる。その結果、塗布剤の塗布作業に要する時間を短くすることができる。
【００１１】
本開示の一態様は、先端部が、列設方向から見て当該先端部の頂点を挟む両側に直線部を有し、直線部のなす角度が８０〜１１０度の範囲内であってもよい。このような態様によれば、先端側吐出口を吐出櫛歯の先端側にできるだけ近づけた構成を実現しつつ、良好な櫛通りも得ることができる。
【００１２】
本開示の一態様は、先端部が、列設方向から見て当該先端部の頂点を挟む両側に突起を有していてもよい。このような態様によれば、櫛通りをより良好にすることができる。
本開示の別の態様は、塗布具付容器であって、前述したいずれかの態様の塗布具と、容器と、を備える。このような態様によれば、前述した塗布具と同様の効果が得られる。
【図面の簡単な説明】
【００１３】
【図１】実施形態の塗布具付容器の正面図である。
【図２】塗布具の正面図である。
【図３】第１種の板状櫛歯の厚み方向から見た外観図である。
【図４】第３種の板状櫛歯の厚み方向から見た外観図である。
【図５】塗布具の部分的な上面図である。
【図６】変形例の第１種の板状櫛歯の厚み方向から見た外観図である。
【発明を実施するための形態】
【００１４】
以下、本開示の例示的な実施形態について図面を参照しながら説明する。
［１．全体構成］
図１に示す塗布具付容器１は、染毛剤を収容するための容器１０と、容器１０の上端部に装着して用いられ、容器１０に収容された染毛剤を吐出して毛髪に塗布するように構成された塗布具２０と、を備える。なお、図１では、塗布具付容器１の一部、具体的には容器１０の上部右側半分及び塗布具２０の右側半分が、断面図として示されている。
【００１５】
容器１０は、可撓性を有する樹脂材料で形成された有底円筒状の容器、いわゆるスクイズ容器である。容器１０は、当該容器１０の大部分を占める胴部１１よりも外径が小さい円筒状の口部１２を上端部に有する。口部１２の外周面には、塗布具２０を装着するための雄ねじ部１２ａが形成されている。
【００１６】
一方、図２にも示すように、塗布具２０は、口部１２を外側から覆うように口部１２に装着可能な蓋体３０と、染毛剤を毛髪に塗布するための複数の板状櫛歯４０及び複数の棒状櫛歯５０と、を備える。蓋体３０、複数の板状櫛歯４０及び複数の棒状櫛歯５０は、樹脂により一体的に成型されている。なお、図２では、塗布具２０の右側半分が断面図として示されている。
【００１７】
蓋体３０は、口部１２の外径とほぼ同じ内径の円筒状の装着部３１を有する。装着部３１の内周面には、口部１２に形成された雄ねじ部１２ａと螺合する雌ねじ部３１ａが形成されている。
【００１８】
板状櫛歯４０は、上方へ延びる板状の櫛歯である。ここでいう板状とは、二次元方向の寸法に対し、当該二次元方向に直交する方向、換言すれば厚み方向の寸法が比較的小さい形状を意味する。つまり、ここでいう板状は、例えば厚みが一定の形状といった厳密な板の形状に限定されない。なお、図１及び図２においては、横方向が厚み方向である。
【００１９】
複数の板状櫛歯４０は、厚み方向に沿って列設されている。以下の説明では、複数の板状櫛歯４０が列設されている方向を「列設方向」という。この例では、塗布具２０は、列設方向に沿って列設された８つの板状櫛歯４０を備える。
【００２０】
８つの板状櫛歯４０は、列設方向から見た形状及び内部流路の有無により、大きく３種類に分類される。
第１種の板状櫛歯４１は、容器１０に収容された染毛剤を吐出可能な複数の板状櫛歯４０である。この例では、８つの板状櫛歯４０のうち、列設方向に沿った中央の４つが第１種の板状櫛歯４１である。なお、第１種の板状櫛歯４１は吐出櫛歯の一例である。
【００２１】
図３に示すように、第１種の板状櫛歯４１は、列設方向から見た外形が、横幅が同一の本体部４１ａと、本体部４１ａから三角形状に突出した先端部４１ｂと、を有する形状である。ここでいう横幅とは、列設方向及び板状櫛歯４０の高さ方向のいずれにも直交する方向に沿った長さを意味する。図３においては、横方向が横幅の方向である。また、ここでいう横幅が同一とは、厳密に同一であることに限定されるものではなく、概略同一であればよい。また、ここでいう三角形状とは、厳密な三角形に限定されるものではなく、概略三角形であればよい。三角形状には、例えば本実施形態の先端部４１ｂのように、角部が丸みを帯びた形状も含まれる。また例えば、角部が直線状にカットされたような形状、換言すれば概略台形状であってもよい。その場合、当該直線状の部分の長さが２ｍｍ以下であれば、櫛通りを良好にすることができる。なお、図３では、第１種の板状櫛歯４１の右側半分が断面図として示されている。
【００２２】
第１種の板状櫛歯４１は、先端側吐出口４１ｃと、本体側吐出口４１ｄと、内部流路４１ｅと、を有する。先端側吐出口４１ｃは、第１種の板状櫛歯４１を厚み方向に貫通する円形の貫通孔である。第１種の板状櫛歯４１において、先端側吐出口４１ｃは、当該先端側吐出口４１ｃの全体が先端部４１ｂに含まれる高さに設けられている。本体側吐出口４１ｄは、長方形状の孔である。第１種の板状櫛歯４１において、本体側吐出口４１ｄは、先端側吐出口４１ｃよりも第１種の板状櫛歯４１の根元側、具体的には、当該本体側吐出口４１ｄの全体が本体部４１ａに含まれる高さに設けられている。内部流路４１ｅは、容器１０の収容空間と、先端側吐出口４１ｃ及び本体側吐出口４１ｄと、を連通する。
【００２３】
先端側吐出口４１ｃは、第１種の板状櫛歯４１の先端寄りに配置されている。これは、染毛剤が毛髪の根元まで塗布されやすくするためである。このような観点において、先端側吐出口４１ｃは、第１種の板状櫛歯４１の先端にできるだけ近い位置であることが好ましい。ただし、先端側吐出口４１ｃが第１種の板状櫛歯４１の外縁に近すぎると、第１種の板状櫛歯４１の製造に支障を来し得る。これは、塗布具２０を樹脂で成型する際に、第１種の板状櫛歯４１における先端側吐出口４１ｃの周囲の幅が小さいと、第１種の板状櫛歯４１の先端となる部分まで樹脂が流れにくくなるからである。
【００２４】
一方、第１種の板状櫛歯４１には、櫛通りのよい形状であることも要求される。ここでいう櫛通りのよい形状とは、毛髪をかき分けて地肌まで届きやすい形状という意味である。このため、従来の板状櫛歯は、列設方向から見た外形が、先端に向かって横幅が狭くなる形状となっており、特に先端付近の横幅が狭く形成されていた。このため、従来の板状櫛歯では、吐出口の位置を先端側に寄せることが難しかった。
【００２５】
そこで、本実施形態では、列設方向から見た先端の角度が、従来の板状櫛歯と比較して大きくなるように設計されている。具体的には、先端部４１ｂは、列設方向から見て当該先端部４１ｂの頂点を挟む両側に直線部４１ｆ，４１ｇを有している。直線部４１ｆ，４１ｇのなす角度は、８０〜１１０度の範囲内であることが好ましく、８５〜１００度の範囲内であることが更に好ましく、本実施形態では９０度に設計されている。このため、先端の角度が狭い従来の板状櫛歯と比較して、先端側吐出口４１ｃをより先端側に配置することが可能となる。
【００２６】
図１及び図２に示すように、第２種の板状櫛歯４２は、第１種の板状櫛歯４１を列設方向の両側から挟む位置に設けられた複数の板状櫛歯４０である。この例では、８つの板状櫛歯４０のうち、４つの第１種の板状櫛歯４１を列設方向における両側から挟む位置に設けられた２つが、第２種の板状櫛歯４２である。第２種の板状櫛歯４２は、列設方向から見た外形が第１種の板状櫛歯４１と同一である。ただし、第２種の板状櫛歯４２は、内部流路を有しない。
【００２７】
第３種の板状櫛歯４３は、列設方向において最も外側となる両側に設けられた複数の板状櫛歯４０である。この例では、８つの板状櫛歯４０のうち、列設方向に沿った位置が最も外側の２つが、第３種の板状櫛歯４３である。なお、第３種の板状櫛歯４３は端部櫛歯の一例である。
【００２８】
第３種の板状櫛歯４３は、内部流路を有していない点で第２種の板状櫛歯４２と共通する。ただし、第３種の板状櫛歯４３は、列設方向から見た外形が、第１種の板状櫛歯４１及び第２種の板状櫛歯４２と異なる。具体的には、図４に示すように、第３種の板状櫛歯４３は、列設方向から見た外形が、根元から先端にかけて徐々に横幅が狭くなる形状である。この例では、第１種の板状櫛歯４１の本体部４１ａに相当する部分の左右の辺が曲線状であり、先端に近づくほど本体部４１ａよりも横幅が狭くなる。つまり、第３種の板状櫛歯４３は、全体として第１種の板状櫛歯４１よりも横幅が狭く設計されている。ただし、前述した理由により、第３種の板状櫛歯４３も、従来の板状櫛歯と比較すると、先端付近の横幅が広い形状、換言すれば、列設方向から見た先端の角度が大きい形状に設計されている。
【００２９】
図１及び図２に示すように、第１種の板状櫛歯４１、第２種の板状櫛歯４２及び第３種の板状櫛歯４３は、列設方向においてほぼ等間隔に、具体的には中心線同士の間隔が５．０〜５．５ｍｍとなるように列設される。本実施形態では、第１種の板状櫛歯４１及び第２種の板状櫛歯４２が列設される間隔が同一に設計され、第２種の板状櫛歯４２と第３種の板状櫛歯４３との間隔が、第１種の板状櫛歯４１及び第２種の板状櫛歯４２が列設される間隔よりも若干狭く設計されている。なお、第２種の板状櫛歯４２及び第３種の板状櫛歯４３には、製造の都合上、第１種の板状櫛歯４１の先端側吐出口４１ｃと同軸位置に、これらと同一形状の貫通孔４２ｃ，４３ｃがそれぞれ形成されている。
【００３０】
図１、図２及び図５に示すように、棒状櫛歯５０は、上方へ延びる棒状の櫛歯である。ここでいう棒状とは、一次元方向の寸法に対し、当該一次元方向に直交する方向の寸法が比較的小さい形状を意味する。つまり、ここでいう棒状は、例えば断面積が一定の形状といった厳密な棒の形状に限定されない。本実施形態の棒状櫛歯５０は、高さ方向に垂直な断面の直径が１．４±０．２８ｍｍである。
【００３１】
複数の棒状櫛歯５０は、列設方向において、複数の板状櫛歯４０と交互に配置されている。具体的には、複数の棒状櫛歯５０は、第３種の板状櫛歯４３を除く複数の板状櫛歯４０において、互いに隣り合う板状櫛歯４０同士の隙間に配置されている。換言すれば、棒状櫛歯５０は、第１種の板状櫛歯４１から染毛剤が吐出される隙間に配置され、染毛剤が吐出されない隙間、具体的には第２種の板状櫛歯４２と第３種の板状櫛歯４３との隙間には配置されていない。
【００３２】
本実施形態では、棒状櫛歯５０は、１つの隙間に対して２つ配置されている。具体的には、２つの棒状櫛歯５０は、隣接する第１種の板状櫛歯４１の先端側吐出口４１ｃ及び本体側吐出口４１ｄを挟む両側に配置されている。
【００３３】
また、各棒状櫛歯５０は、先端側吐出口４１ｃと同じ高さに形成されている。ここでいう同じ高さとは、先端側吐出口４１ｃの下端部から上端部までの範囲内に含まれる高さを意味する。
【００３４】
［２．作用］
次に、塗布具付容器１の作用について説明する。
ユーザが容器１０の胴部１１を押圧すると、容器１０の収容空間が加圧され、容器１０に収容された染毛剤が複数の第１種の板状櫛歯４１が有する内部流路４１ｅへ供給され、先端側吐出口４１ｃ及び本体側吐出口４１ｄのそれぞれから吐出される。第１種の板状櫛歯４１の先端側吐出口４１ｃ及び本体側吐出口４１ｄのそれぞれから吐出された染毛剤は、当該第１種の板状櫛歯４１と隣り合う他の板状櫛歯４０との隙間で保持される。ここで、先端側吐出口４１ｃは、第１種の板状櫛歯４１の先端近くに位置しているため、第１種の板状櫛歯４１の先端付近においても染毛剤が保持されやすくなる。
【００３５】
このように複数の板状櫛歯４０によって染毛剤が保持されている状態で、ユーザが毛髪を梳くことにより、染毛剤が毛髪に塗布される。その際、棒状櫛歯５０により毛髪の束が分離されるため、毛髪に塗布される染毛剤の偏りが抑制される。なお、第３種の板状櫛歯４３は、第１種の板状櫛歯４１よりも横幅が狭く設計されているため、第３種の板状櫛歯４３を用いて毛髪の束を取り分けること、いわゆるスライスを取ることが可能となる。
【００３６】
［３．効果］
以上詳述した実施形態によれば、以下の効果が得られる。
（１）塗布具２０において、第１種の板状櫛歯４１は、本体部４１ａが同一幅に形成され、先端部４１ｂが本体部４１ａから三角形状に突出している。このため、例えば全体として三角形状に近い形状と比較して、第１種の板状櫛歯４１の先端付近の横幅を大きく、換言すれば、第１種の板状櫛歯４１の先端の角度を大きく設計することが可能となる。したがって、先端側吐出口４１ｃを第１種の板状櫛歯４１の先端側にできるだけ近づけた構成を実現することができ、毛髪の根元に染毛剤を塗布しやすくすることができる。加えて、第１種の板状櫛歯４１は、先端部４１ｂが三角形状に突出しているため、必要な櫛通りも得られやすくすることができる。
【００３７】
（２）列設方向において最も外側となる両側に、列設方向から見た外形が第１種の板状櫛歯４１及び第２種の板状櫛歯４２と異なる第３種の板状櫛歯４３が設けられている。このため、第３種の板状櫛歯４３に付加的な機能、例えば毛髪の束を取り分ける機能を持たせることが可能となる。
【００３８】
（３）列設方向において複数の板状櫛歯４０と交互に複数の棒状櫛歯５０が配置されている。このため、棒状櫛歯５０により毛髪の束が分離され、毛髪に塗布される染毛剤の偏りを抑制することができる。また、複数の棒状櫛歯５０は、先端側吐出口４１ｃと同じ高さに形成されている。このため、棒状櫛歯５０が地肌に当たることを抑制しつつ、染毛剤の偏りを抑制することができる。その結果、例えば毛髪の染まり方が不均一になることを抑制することができる。
【００３９】
（４）第１種の板状櫛歯４１は、先端側吐出口４１ｃよりも根元側に設けられた本体側吐出口４１ｄを有する。このため、板状櫛歯４０によって保持される染毛剤の量を増やすことができる。その結果、染毛剤の塗布作業に要する時間を短くすることができる。
【００４０】
（５）第１種の板状櫛歯４１の先端の角度が８０〜１１０度の範囲内、具体的には９０度に設計されている。このため、先端側吐出口４１ｃを第１種の板状櫛歯４１の先端側にできるだけ近づけた構成を実現しつつ、良好な櫛通りも得ることができる。
【００４１】
［４．他の実施形態］
以上、本開示の実施形態について説明したが、本開示は、上記実施形態に限定されることなく、種々の形態を採り得ることは言うまでもない。
【００４２】
（１）板状櫛歯４０の形状は、上記実施形態で例示した形状に限定されない。例えば、図６に示す変形例の第１種の板状櫛歯６１は、上記実施形態の第１種の板状櫛歯４１に対し、２つの突起部６１ｈ，６１ｉが設けられた形状である。２つの突起部６１ｈ，６１ｉは、列設方向から見て先端部の頂点を挟む両側に配置されている。各突起部６１ｈ，６１ｉは、第１種の板状櫛歯６１の先端よりも上方へ突出している。このような形状の第１種の板状櫛歯６１によれば、櫛通りをより良好にすることができる。また、先端部の頂点に突起部を設けた構成と比較して、毛髪の根元に染毛剤を塗布しやすくする効果を損ないにくくすることができる。
【００４３】
なお、図６に示す突起部の形状や配置や個数等は一例であり、これ以外の態様であってもよい。例えば、突起部の形状は特に限定されないが、列設方向から見て円形状、例えば半球形状が好ましい。その場合、半球形状の直径は、例えば０．５〜２ｍｍであることが好ましい。先端部における突起部の位置も特に限定されないが、先端部の高さ方向中央位置よりも上方であって、先端部の頂点よりも下方に配置されることが好ましい。また、図６の例のように、突起部は左右対称に２箇所設けられることが好ましい。突起部の素材、ひいては塗布具の素材も特に限定されないが、例えばオレフィン系樹脂等を用いることができる。また、このような突起部が第１種の板状櫛歯６１以外に設けられてもよい。
【００４４】
（２）板状櫛歯４０の配置や個数等も、上記実施形態で例示した構成に限定されない。例えば、板状櫛歯４０が列設される間隔は、上記実施形態とは異なる間隔であってもよい。具体的には、板状櫛歯４０の中心線同士の間隔が２〜７ｍｍであることが好ましく、５．０〜５．５ｍｍであることが更に好ましい。
【００４５】
（３）第１種の板状櫛歯４１の形状は特に限定されないが、本体部４１ａの横幅が５〜１５ｍｍであることが好ましく、８〜１２ｍｍであることが更に好ましい。また、本体部４１ａの高さ方向の寸法が１０〜２０ｍｍであることが好ましく、１３〜１７ｍｍであることが更に好ましい。また、先端部４１ｂの高さ方向の寸法が２〜１０ｍｍであることが好ましく、３〜７ｍｍであることが更に好ましい。また、先端側吐出口４１ｃの中心位置と本体側吐出口４１ｄの中心位置との距離が１０ｍｍ以内であることが好ましい。また、先端側吐出口４１ｃから先端部４１ｂの頂点までの距離が２〜５ｍｍであることが好ましい。先端側吐出口４１ｃは、上記実施形態で例示したように円形が好ましい。この場合、先端側吐出口４１ｃの直径が１〜４ｍｍであることが好ましく、１．５〜３ｍｍであることが更に好ましい。
【００４６】
（４）先端側吐出口４１ｃ及び本体側吐出口４１ｄの形状や配置や個数等も、上記実施形態で例示した構成に限定されない。例えば、第１種の板状櫛歯４１が有する吐出口の数は、１つであってもよく、３つ以上であってもよい。
【００４７】
（５）棒状櫛歯５０の構成、例えば形状や配置や個数等も、上記実施形態で例示した構成に限定されない。また、塗布具２０は、棒状櫛歯５０を備えない構成であってもよい。
（６）上記実施形態では、塗布剤として染毛剤を例示したが、例えば脱色剤やスタイリング剤など、染毛剤以外の毛髪化粧料が塗布剤として用いられてもよい。また、例えば育毛剤など、毛髪化粧料以外の薬剤が塗布剤として用いられてもよい。
【００４８】
（７）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００４９】
１…塗布具付容器、１０…容器、２０…塗布具、３０…蓋体、４０…板状櫛歯、４１…第１種の板状櫛歯、４１ａ…本体部、４１ｂ…先端部、４１ｃ…先端側吐出口、４１ｄ…本体側吐出口、４１ｅ…内部流路、４１ｆ，４１ｇ…直線部、４２…第２種の板状櫛歯、４３…第３種の板状櫛歯、５０…棒状櫛歯、６１…板状櫛歯、６１ｈ，６１ｉ…突起部。
【図１】
2018143425.tif 000003
【図２】
2018143425.tif 000004
【図３】
2018143425.tif 000005
【図４】
2018143425.tif 000006
【図５】
2018143425.tif 000007
【図６】
2018143425.tif 000008